(57)【要約】【課題】パッケージングされた無線タグであっても、無線タグのアンテナ位置を一定にすることによって、リーダライタとの間で安定した交信を行える無線タグ位置決め装置を提供する。【解決手段】位置決め装置の上部に開口部を有し、その開口部から下方に連通する収容部が形成されている。収容部は、無線タグのタグアンテナの略中心点が所定位置に収まるように形成されている。この所定位置は、無線タグと交信するリーダライタの送受信アンテナと略対向する位置とし、収容部は、外形及び／又はタグアンテナの位置の異なる無線タグに応じて、段差が形成されている。【選択図】図１
2006268322.tif 000002
【特許請求の範囲】
【請求項１】
上部開口部から連通する収容部に、ＩＣチップとタグアンテナを備えてパッケージされた無線タグを収容する無線タグの位置決め装置であって、
前記収容部は、前記タグアンテナの略中心点が所定位置に収まるように形成されていることを特徴とする無線タグ位置決め装置。
【請求項２】
前記所定位置は、前記無線タグと交信するリーダライタの送受信アンテナと略対向する位置であることを特徴とする請求項１記載の無線タグ位置決め装置。
【請求項３】
前記収容部は、外形及び／又はタグアンテナの位置の異なる無線タグに応じて、段差が形成されていることを特徴とする請求項１又は２記載の無線タグ位置決め装置。
【請求項４】
前記段差は、複数段で構成されていることを特徴とする請求項３記載の無線タグ位置決め装置。
【請求項５】
前記収容部は、圧入により無線タグを収容するものであることを特徴とする請求項１乃至４のいずれか１項記載の無線タグ位置決め装置。
【請求項６】
前記無線タグが、前記収容部から挿脱可能であることを特徴とする請求項５記載の無線タグ位置決め装置。
【請求項７】
上部開口部から連通する収容部に、ＩＣチップとタグアンテナを備えてパッケージされた無線タグを収容する無線タグの位置決め装置であって、
前記収容部は、前記タグアンテナの略中心点が所定位置に位置するように形成されるとともに、前記開口部から下方に前記無線タグの収容を導くガイド溝が形成されていることを特徴とする無線タグ位置決め装置。
【請求項８】
前記ガイド溝は、前記無線タグのＩＣチップ部の厚みに対応していることを特徴とする請求項７記載の無線タグ位置決め装置。
【発明の詳細な説明】
【技術分野】
【０００１】
本発明は、パッケージングされた無線タグを安定して認識するための無線タグ位置決め装置に関する。
【背景技術】
【０００２】
近年、流通物品に、物品に関する経歴情報、流通ルート情報などの諸情報を記録・読取り可能な無線タグを添付することにより、流通関係のユーザあるいは一般顧客などに対してより多くの情報の開示などが可能となってきた。
【０００３】
また、無線タグは、利用目的に合わせ、フィルムなどの封止体でパッケージングされ、無線タグの再利用を可能とするために無線タグを回収できる構造とした無線タグ装置が提案されている（例えば、特許文献１参照。）。
【特許文献１】特開２００２−１５７５６９号公報
【発明の開示】
【発明が解決しようとする課題】
【０００４】
しかし、上述の特許文献１に開示された無線タグを回収する構造では、ベース材と被覆材との重ね合わせ内面に無線タグを非接触状態で装填した構造であるため、ベース材と被覆材とを備えた容器に対して無線タグの位置が変動することになる。また、無線タグは、多くのメーカから供給されていることから、無線タグのアンテナの位置は様々であり、リーダライタとの交信が大きな影響を受けていた。
【０００５】
本発明は、上記事情によりなされたもので、パッケージングされた無線タグであっても、無線タグのアンテナ位置を一定にすることによって、リーダライタとの間で安定した交信を行える無線タグ位置決め装置を提供することを目的とするものである。
【課題を解決するための手段】
【０００６】
本発明の請求項１によれば、上部開口部から連通する収容部に、ＩＣチップとタグアンテナを備えてパッケージされた無線タグを収容する無線タグの位置決め装置であって、
前記収容部は、前記タグアンテナの略中心点が所定位置に収まるように形成されていることを特徴とする無線タグ位置決め装置を提供する。
【０００７】
本発明の請求項２によれば、前記所定位置は、前記無線タグと交信するリーダライタの送受信アンテナと略対向する位置であることを特徴とする請求項１記載の無線タグ位置決め装置を提供する。
【０００８】
本発明の請求項３によれば、前記収容部は、外形及び／又はタグアンテナの位置の異なる無線タグに応じて、段差が形成されていることを特徴とする請求項１又は２記載の無線タグ位置決め装置を提供する。
【０００９】
本発明の請求項４によれば、前記段差は、複数段で構成されていることを特徴とする請求項３記載の無線タグ位置決め装置を提供する。
【００１０】
本発明の請求項５によれば、前記収容部は、圧入により無線タグを収容するものであることを特徴とする請求項１乃至４のいずれか１項記載の無線タグ位置決め装置を提供する。
【００１１】
本発明の請求項６によれば、前記無線タグが、前記収容部から挿脱可能であることを特徴とする請求項５記載の無線タグ位置決め装置を提供する。
【００１２】
本発明の請求項７によれば、上部開口部から連通する収容部に、ＩＣチップとタグアンテナを備えてパッケージされた無線タグを収容する無線タグの位置決め装置であって、
前記収容部は、前記タグアンテナの略中心点が所定位置に位置するように形成されるとともに、前記開口部から下方に前記無線タグの収容を導くガイド溝が形成されていることを特徴とする無線タグ位置決め装置を提供する。
【００１３】
本発明の請求項８によれば、前記ガイド溝は、前記無線タグのＩＣチップ部の厚みに対応していることを特徴とする請求項７記載の無線タグ位置決め装置を提供する。
【発明の効果】
【００１４】
本発明によれば、パッケージングされた無線タグであっても、無線タグのアンテナ位置を一定にすることによって、リーダライタとの間で安定した交信を行える無線タグ位置決め装置を提供できる。
【発明を実施するための最良の形態】
【００１５】
本発明の実施の形態に関わる無線タグ位置決め装置について、図面を参照しながら説明する。尚、各図において同一箇所については同一の符号を付している。
【００１６】
無線タグは、無線データキャリアの一種であり、送受信可能なタグアンテナとＩＣチップとを基板に一体成形した独立の部品である。ＩＣチップには、タグアンテナで受信した変調電波の整流と安定化を行うことによりＩＣチップの各部に電源を供給する電源生成部、変調電波を復調して制御部へ送出する復調部、制御部から送出されたデータを変調してタグアンテナに送出する変調部、復調部で復調されたデータのメモリへの書き込みやメモリから送信データを読み出して変調部へ送出する制御部及びメモリが設けられている。
【００１７】
メモリは、当該無線タグの製造段階で製造業者により割当て設定された固有の無線ＩＤを記憶する無線ＩＤエリアと、ユーザが任意のデータを書き込むことができるユーザエリアとから成る。ユーザエリアには当該無線タグが貼付された物品あるいは配送物等の固有の追跡管理用コードが記録されている。
【００１８】
無線タグ読取り装置は、送受信アンテナを具備しており、この送受信アンテナの交信エリア内にある無線タグのメモリデータを非接触で読み取るものである。無線タグ読取り装置は、例えばパソコン等の上位装置に接続され、データの授受を行うインタフェース部と、無線タグとの通信や接続するハードウエアを制御するＣＰＵ、動作プログラムを記憶したＲＯＭ、データを一時的に記憶するＲＡＭ等で構成される制御部と、制御部から与えられるデータを無線通信に適した変調信号に変調する変調部と、変調信号を増幅して送受信アンテナから電波として放射させる送信アンプと、アンテナユニットで受信した電波信号を増幅する受信アンプと、増幅された電波信号からデータを復調して制御部に与える復調部とから構成されている。
【００１９】
無線タグとの交信を行う際には、まず、キヤリア信号を送信部で変調して電力用電波信号として送信アンテナから送信し、その後、送信すべきデータを電力用電波信号に重畳するように送信部で変調して送信アンテナから送信する。
【００２０】
図１（A）は無線タグ位置決め装置の斜視図を示し、図１（B）はＸ−Ｘ断面図を示している。
【００２１】
本発明の実施形態に係る無線タグ位置決め装置１０は、ＩＣチップ１とタグアンテナ２を備えてパッケージされた無線タグ３を収容するものである。無線タグ位置決め装置１０は、例えば合成樹脂、紙などの天然繊維などの非導電性材料で作成する。
【００２２】
図１に示すように、位置決め装置１０の上部に開口部４を有し、その開口部４から下方に連通する収容部５が形成されている。
【００２３】
収容部５は、無線タグ３のタグアンテナ２の略中心点が所定位置に収まるように形成されている。この所定位置は、無線タグ３と交信するリーダライタの送受信アンテナ（図示しない）と略対向する位置が好ましい。このことにより、円滑な交信が確保できるからである。
【００２４】
収容部５は、外形及び／又はタグアンテナの位置の異なる無線タグに応じて、段差６が形成されている。段差６は、複数種類の無線タグに対応できるよう、複数段で構成されている。
【００２５】
収容部５へは、圧入により無線タグを収容するのが好適である。収容部５のスペースが無線タグ３のサイズに比較して十分すぎる場合には、収容部５内での無線タグ３の位置が定まらず、安定した交信に支障がでるからである。
【００２６】
無線タグ３は、収容部５から挿脱可能となっている。これは当該無線タグが故障等で応答が不能となった場合に代替の無線タグに入れ替えるためである。
【００２７】
本発明の実施形態に係る無線タグの位置決め装置によれば、種別の異なる無線タグであっても、常にタグアンテナの位置を一定に保持できるので、安定した交信が確保できる。
【００２８】
次に、本発明の第２の実施形態に係る無線タグ位置決め装置について説明する。
【００２９】
図２は、（A）は無線タグ位置決め装置の斜視図を示し、（B）はY−Y断面図を示している。第２の実施形態においては、上述した第１の実施形態と同様に、無線タグ位置決め装置１０の上部開口部４から連通する収容部５に、無線タグ３のタグアンテナ２の略中心点が所定位置に位置するように形成される。さらに、開口部４から下方に無線タグ３の収容を導くガイド溝７が形成されている。このガイド溝７は、無線タグ３のＩＣチップ１部の厚みに対応したものとなっている。
【００３０】
上述したように、本実施形態によれば、無線タグ位置決め装置１０の収容部５への導入がガイド溝７を利用して行えるので、無線タグ３を損傷する恐れなく、位置決めすることができる。
【００３１】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３２】
【図１】（A）本発明の第１の実施の形態に係る無線タグ位置決め装置の斜視図、（B）はその断面図を示す。
【図２】（A）本発明の第２の実施の形態に係る無線タグ位置決め装置の斜視図、（B）はその断面図を示す。
【符号の説明】
【００３３】
１・・・ＩＣチップ、２・・・タグアンテナ、３・・・無線タグ、４・・・開口部、５・・・収容部、６・・・段差、７・・・ガイド溝、１０・・・無線タグ位置決め装置。
【図１】
2006268322.tif 000003
【図２】
2006268322.tif 000004